(57)【特許請求の範囲】
【請求項１】
物体のまわりに配置して前記物体が開放されないようにする安全装置であって、前記装置は、
物体のまわりに設けられて固定される第１および第２のケーブルを含むケーブル手段と、
ケーブル手段に接続されケーブル手段を物体のまわりで締めるためのラチェット手段と、
ベースおよびベースに解放可能にスナップばめされるファスナを含む２部分からなるロック部材とを含み、前記部分の各々は、ケーブル手段に接続され、前記ケーブル手段を物体のまわりで解放可能にロックするために互いに解放可能に係合し、
前記第１のケーブルはラチェット手段とロック部材のベースとの間に延在しかつラチェット手段とロック部材のベースとに接続され、第２のケーブルはラチェット手段とロック部材のファスナとの間に延在しかつラチェット手段とロック部材のファスナとに接続される、安全装置。
【請求項２】
ファスナはロックタブを含み、ベースはファスナのロックタブと協働してファスナを前記ベースに解放可能に固定する金属歯を含む、請求項１に記載の安全装置。
【請求項３】
金属歯をファスナから外すためのロック解除用具を含み、前記用具は前記金属歯をロックタブから外す磁石を含む、請求項２に記載の安全装置。
【請求項４】
ロック解除用具は、ベースと、ベースに間隔をおいた関係で載置される１対の永久磁石と、ロック部材を間隔をおかれた磁石間で位置決めして金属歯をロックタブから解放するための位置決め手段とを含む、請求項３に記載の安全装置。
【請求項５】
位置決め手段は、ベースに載置され間隔をおかれた磁石間に延在するリブである、請求項４に記載の安全装置。
【請求項６】
ベースは金属歯をベース内に隠すカバープレートを含む、請求項２に記載の安全装置。
【請求項７】
ガイドリブがロック部材のベースに載置され、ファスナと滑動可能に係合してファスナをベースに解放可能に固定する補助をする、請求項２に記載の安全装置。
【請求項８】
ラチェット手段は、ハウジングと、前記ハウジング内に回転可能に載置されケーブル手段を支持するためのリールと、リールと作動的に係合しリールを固定位置でラッチしてケーブル手段を物体のまわりで締め続ける歯止めとを含む、請求項１に記載の安全装置。
【請求項９】
リールは、ハブ、軸受部材およびギアを含み、前記ギアの外端部のまわりには複数の歯が形成された、請求項８に記載の安全装置。
【請求項１０】
複数の開口部がケーブル手段の拡大された端部を受入れるためにハブに形成されて前記ケーブル手段をハブに固定する、請求項９に記載の安全装置。
【請求項１１】
第１および第２のケーブルのそれぞれは２つの端部を備え、
２つの前記端部は、前記ハブに形成された前記開口部に受入れ保持され、
前記端部のそれぞれは、隣接する前記開口部に対し直角の角度で配向されて対向する、ハウジングに形成された開口部を通して延在する、請求項９に記載の安全装置。
【請求項１２】
装置はラチェット用具を含み、歯止めはラチェット用具の多側面の第１の部分と係合して前記歯止めを前記リールとの作動的係合から外れるように移動させるための多側面のボアを有する開口部とともに形成される、請求項９に記載の安全装置。
【請求項１３】
ラチェット用具は多側面の第２の部分を含み、ハブはラチェット用具の第２の部分と係合してリールを回転させケーブル手段を物体のまわりで締めるための多側面のボアとともに形成される、請求項１２に記載の安全装置。
【請求項１４】
物体のまわりに配置して前記物体が開放されないようにする安全装置であって、前記装置は、
物体のまわりに設けられて固定されるケーブル手段と、
ケーブル手段に接続されケーブル手段を物体のまわりで締めるためのラチェット手段と、
ベースおよびベースに解放可能にスナップばめされるファスナを含む２部分からなるロック部材とを含み、前記ロック部材の各部分はケーブル手段に接続され、前記部分は前記ケーブル手段を物体のまわりで解放可能にロックするために互いに解放可能に係合し、前記ファスナはロックタブを含み、ベースはファスナのロックタブと協働してファスナを解放可能に前記ベースに固定する金属歯を含み、前記装置はさらに、
金属歯をファスナのロックタブから外すための磁石を有するロック解除用具を含む、安全装置。
【発明の詳細な説明】
発明の背景
技術分野
本発明は安全装置に関する。より具体的には、本発明は種々の大きさの箱、書物またはその他類似の構造の品物のまわりに巻付けられこれらを閉位置で固定する調節可能な安全装置に関する。さらに具体的には、本発明は、品物のまわりに巻付けられラチェット部材とロック部材との間に延在する複数のワイヤまたはケーブルを含む、自在巻付け安全装置に関する。ラチェット部材およびロック部材はともに操作するのに特別の道具が必要である。
背景情報
小売店は、種々の高価な商品の入った箱、書物およびその他類似の構造のパッケージまたは物が開放されたり、その中身が店員の許可なしで持ち去られたり陳列中に損傷を受けたりすることから守るのに苦労している。消費者は包装された高額な品物を購入しようと決断する前に目で見て点検することを望むことが多い。店は、こうした高額な品物を販売のために陳列している間にいかにして盗難から守るかという問題に直面している。
こうしたパッケージおよびその中に入っている品物を守るために用いられる１つの方法は、小売店のカウンターの後ろからのみ近づくことができる透明なガラスの陳列ケース内にその品物を入れることである。消費者はガラスを通して品物を見ることができるが、販売員がその品物をケースから取出さない限り、品物に手を触れたり、箱に印刷されているかもしれない品物についての情報を読んだりすることができない。しかしながら、大規模な小売店では、消費者が商品を購入することを希望し選択された商品を消費者に運ぶ際にその商品を盗難の危険にさらすことなく運ぶという問題が生じる。あるやり方は、高価な品物または商品を含む箱を、消費者が精算担当の店員に持っていく前に消費者に渡したり消費者が受取ったりするのをごく近くで行なうことである。しかしながらこうすると箱が盗難に遭いやすくなる。
小売店が用いる他の方法は、品物をカタログに列挙して消費者にカタログから商品の注文をさせることである。品物は裏手の保管領域から運ばれ、消費者が商品の受取りおよび支払いを同時に同じ場所で行なわねばならないようにし、消費者が無許可で店から商品を持ち出さないようにすることである。消費者が購入前に品物を点検しないので、もし満足できなければ返金を求めて返品するという混乱に耐えねばならない。
箱および箱状の構造もまた輸送機関による配送中に許可なしで開放される。こうした品物は、従来の態様で包装されテープで閉じられているときには、受取人または発送人に知られずに、容易に開放および再封止可能である。発送するパッケージをロック機構を備える安全容器の中に閉じ込めることはできるが、そのような容器は購入するには高額であり、パッケージのサイズおよび重量が増して、輸送により費用がかかるようになる。窃盗を働こうとする者はまた、ロック機構を「こじ開ける」ことにより、またはできるならばダイヤル（組合せ）錠の組合せを推測することによって容器の中身に許可なしで近づくことができる。
パッケージまたは物を、小売店で陳列されているときまたはある場所から別の場所へと輸送されているときに閉位置で固定するという問題を適切に解決したロック装置についての先行技術はほとんどない。先行技術による安全装置には、品物のまわりに巻かれある種のロック機構により固定されるワイヤを含むものがある。たとえば、特許第３，６１１，７６０号は、ハウジング内に設けられた格納式ケーブルを利用するロック装置を開示しており、このロック装置ではケーブルは物体のまわりで輪にして巻かれて固定されダイヤル錠によってハウジング内で固定される。
特許第４，７５６，１７１号は、物体のまわりに延在して固定されるケーブルを、ロック部材内のクランクハンドルによりケーブルを締めるためにロック部材内に設けられた巻取りリールとともに有するロック装置を開示している。
特許第４，８９６，５１７号は、ラチェットおよび歯止めロック機構を有するリールのまわりに巻かれるロックヘッドを備えたケーブルを有するロック装置を開示する。ロックヘッドはロック機構と係合してケーブルをロックされた位置で固定する。
特許第５，１５６，０２８号は、ロックケーブルが接続される、ラチェット状の巻上げリールを用いた持ち運び可能なロック装置を開示している。
その他の先行技術の安全装置は、種々の品物を固定するための他の方法を提示している。特許第３，８３１，４０７号は、物体のまわりに延在して固定される複数の可撓性ワイヤ状部材からなるロック装置を開示しており、チェーンの開放端部はロックにより固定される。
特許第４，４１８，５５１号は、自動販売機のような矩形の物体のまわりに設けられる安全装置を開示する。この装置は、矩形の物体のいくつかの部分のまわりで延在するストラップ構造と、開放および閉鎖位置間で移動可能なドアと、ドアを閉位置でロックするロック機構とを含む。
特許第４，９３０，３２４号は、クラスプ（留め金）部材をハウジングにロックする、ロックハウジング内に回転可能に設けられたタンブラを有する、ロック可能なバックル（締め金）を開示する。
これらの先行技術の装置は意図された目的については適切であるが、これら先行技術の装置の中には、複数のケーブルまたはケーブルの部分を種々の大きさの箱状構造のまわりで締めるために道具を用いるラチェット部材を有し、かつ２部分からなるロック部材を有する、持ち運び可能な軽量の装置を含むものはない。上記２部分からなるロック部材はスナップばめされ、箱内に含まれる品物をその場所から移動させる前に磁石アームを備えるロック解除具またはキーを用いてこの２部分からなるロック部材を解除する。
したがって、ラチェット部材とロック部材とを含み、装置を動作させるのに２つの別個の道具を用い、パッケージの６つの側面すべてを囲み、装置がパッケージから取り去られた後にのみ解放可能な１方向ラチェットを含み、無限に再使用でき、パッケージのサイズまたは重量を大幅に増大させず、種々の大きさの箱に対し容易に調節できる、自在安全装置に対する需要がある。我々が知っており、上記のような効果を達成するような安全装置はない。
発明の概要
本発明の安全装置は、箱、パッケージ、書物またはその他類似の構造の６側面すべてを取囲みロックする複数のワイヤまたはケーブルを含む。ケーブルは、複数の歯を備えるギアおよびその歯と係合する１方向の歯止めを含むラチェット部材と、ベースにスナップばめされロック解除のためにロック解除具を必要とするロック部材との間に延在する。１方向ラチェットはまた、保護されるパッケージのまわりでケーブルを締めるための道具と、装置がパッケージから取外された後にラチェット部材の後側からのみラチェットの歯から外されることができる歯止めとを必要とする。
それゆえに、上記に従うと、本発明の目的は、ラチェット部材と、ロック部材と、上記部材間でかつ物体のまわりで延在し閉位置で固定される複数のケーブルとを含む安全装置を提供することを含む。
本発明の他の目的は、装置のロックおよびロック解除、ならびに装置によって保護されている品物のまわりでケーブルを締めるために２つの別個の道具を必要とする、安全装置を提供することである。
本発明のさらに他の目的は、物体またはパッケージの６つの側面すべてを囲む安全装置を提供することである。
本発明のさらに他の目的は、装置がパッケージから取除かれた後にのみ解放されることができる１方向ラチェットを含む安全装置を提供することである。
本発明の他の目的は、無限に再使用可能であり、パッケージのサイズまたは重量を大幅に増大させることなく、化学薬品および水分による影響を容易に受けない強度の高いプラスチック材料から形成することができる安全装置を提供することである。
上記の目的および利点は、本発明の安全装置によって得られ、この装置の包括的な性質は、物体のまわりに設けて固定されるケーブル手段と、ケーブル手段に接続されケーブル手段を物体のまわりで締めるためのラチェット手段と、２部分からなるロック部材とを含むものとして述べることができ、上記２部分の各部分はケーブル手段に接続され、上記２部分は上記ケーブル手段を物体のまわりで解放可能にロックするために互いに解放可能に係合している。
【図面の簡単な説明】
出願人が原理の適用を意図するベストモードを示す本発明の好ましい実施例については、以下の記載で説明され、図面において示され、添付の請求の範囲において特定的にかつ明確に指摘および説明される。
図１は、パッケージに載置および固定される本発明の自在安全巻付けを示す斜視図であり、部分的に除去されている。
図２は、ロック解除位置にある安全装置のロック部材の分解斜視図である。
図３は図２と同様の斜視図であるが、ロック金属歯がベース内に設けられている。
図４は、図２および３のロック部材の斜視図であるが、ファスナがベースにロック位置でスナップばめされカバーは取除かれていることを示す。
図５は、図２−４のロック部材が完全に組立てられたものの斜視図である。
図６は、完全に組立てられた本発明の安全装置のラチェット部材の底部斜視図であり、ケーブルの一部が外向きに延在している。
図７は、図６のラチェット部材の分解斜視図である。
図８は、図７のラチェットギアを裏返した位置で示した斜視図である。
図９は、図７のラチェット部材の分解断面図である。
図１０は、図１３の線１０−１０に沿うラチェット部材の断面図である。
図１１は、図１３の線１１−１１に沿うラチェット部材の断面図である。
図１２は、ギアから外されたラチェット歯止めを示す、図６のラチェット部材の上面断面図である。
図１３は、図６のラチェット部材の底面立面図であり、底面の一部が除去されている。
図１４は、ラチェット具の斜視図である。
図１５は、ロック部材のためのロック解除具の斜視図である。
図面において同様の数字は同様の部分を指すものとする。
好ましい実施例の説明
本発明の自在巻付け安全装置は図１において包括的に１で示され、パッケージ２に固定されて示されている。安全装置１は、ロック部材３と、ラチェット部材４と、複数の接続ケーブル５とを含む。ロック部材３は２つの主要な構成要素を含み、ファスナ７（図２−５）は楕円形状のベース８に挿入されてロックされる。ファスナ７は耳形状のラグ１１と一体的に形成されラグ１１から延在する脚１０（図２および３）を有する。脚１０は、２つの間隔がおかれた総体的に並列するタング１５および１６の中間の矩形状の中央ポスト１３を含む。Ｕ形状の溝１４がポスト１３の後側に形成される。各タング１５および１６の一方端の角度はポスト１３に向かって内側に付けられており、ポスト１３ならびにタング１５および１６は自由端１７で一体的に接続される。端部１７は、タング１５および１６の内側に向かって角度が付けられた部分を超えて延在し平坦なロックタブ１９を形成する丸いエッジ１８を有する。
円形の開口部２２がラグ１１内に形成され、ケーブル５が通過することを可能にする。１対のノッチ２３がラグ１１の各側の平らな側面に形成され、以下で更に詳細に説明するように、ファスナ７をベース８内へ案内する補助をしそこでファスナ７を中央部で安定させる。
ベース８は、底部材２６の周囲に部分的に延在する直立の湾曲した側壁２７と、壁２７の対向する端部から内向きに延在する１対の端壁２８とを含む。１対の先細りの尖鋭部２９が内向きに垂直に各端壁２８の端部から延在する。１対のタブ３０が内向きに尖鋭部２９の先細りにされた端縁に並列して延在し、さらに外側の壁２７と尖鋭部２９との間で端壁２８から延在する。１対の実質的にＬ形状の金属歯３５が尖鋭部２９とタブ３０との間に挿入されそこで固定され、内向きの角度で延在して第２の端壁３９の近くで終端をなす（図３および４）。
壁３９は端壁２８から間隔がおかれ端壁２８に並列し、第３の端壁４０は第２の端壁３９から外に向かい間隔がおかれ第２の端壁３９と並列し、その間でチャネル４２を形成し、このチャネルを通してケーブル５の他の部分が延在する。長くされたリブ３４は壁３９と垂直をなし、内向きに部分的にベース８の底部材２６の長手方向の長さに延在し、図４および５に示すようにロック部材３がロック位置にあるときファスナ７の溝１４に受入れられる。総体的に底部材２６とほぼ同じ大きさの楕円形状のカバー４４（図２−５）はベース８を囲み、側壁２６の内側に形成され側壁２６に沿って延在する総体的に楕円形状のショルダ４５上に置かれる。
本発明の特徴の１つに従うと、ファスナ７の脚１０は、矢印Ａ（図４）の方向に圧力がファスナ７に加えられたとき尖鋭部２９の間に滑り込み、脚１０の溝１４が受入れるリブ３４によって案内される。端部１７の丸くされたエッジ１８は、ファスナ７がベース８に挿入されるときに歯３５を外向きに反らせる。ファスナ７が完全にベース８に挿入されると、ラグ１１は底部材２６の開放領域３６（図２および３）を占め、端壁２８に当接する。ノッチ２３は、壁２７の各端部に形成される１対のショルダ３７を受入れ、金属歯３５の弾性によりタング１５および１６の角度の付けられた外側部分近くのロック位置にスナップばめされる。歯３５は脚１０のタブ１９と協動し、ファスナ７がベース８から外れないようにする。
好ましくは、ロック部材３は金属歯３５を除き、比較的さびず、晒されるであろう化学薬品および厳しい環境による影響を受けない、軽量で強度の高いプラスチック材料から形成され、ベース８およびカバープレート４４は一続きの部材として成形され、その後接着剤、超音波溶接、または他の種類の固定手段によって固定される。
ラチェット部材４は、組立てられたものが図６において示され、解体されたものが図７において示される。ラチェット部材４は、仕切り壁５５により分割されて総体的に円形のコンパートメント５１とより小さな隣接するコンパートメント５３とにされるハウジング５０を含む。円形状の軸受部材５４および円形状のギア５６はコンパートメント５１内に収容され、歯止め５２はコンパートメント５３内に収容される。どちらのコンパートメント５１および５３も、ならびにそれらの中身も底プレート５８により収められる。円形開口６０がハウジング５０の前壁６２に形成され、環状の溝または軸受表面６４は円形開口６０のまわりに形成される。ハウジング５０の側壁６５は前壁６２から垂直上向きに延在し、外向きに延在するリップまたはショルダ６６を含み、底プレート５８はハウジング５０に固定されたときにこのリップまたはショルダ６６上に載せられる。
４つのＵ形状開口部６８が正方形状の配置で側壁６５に形成され、４つのケーブル部分がその中を通ることができるようにし、各ケーブル部は一般的に隣接する２つのケーブル部に垂直である。底プレート５８は、Ｕ形状の開口部６８と整列しこれと協動して間に円形状の開口部７０を形成する（図６）、弓形状の底部を備える４つのフランジ４９を含む。
別の円形開口７３が軸受部材５４の中央に形成され（図７）、軸受表面６４に対応し軸受表面６４が受入れる環状の節７５（図９）が軸受部材５４の底表面に形成される。４つの可撓性突起部７６（図７および９）は、外向きに延在するラッチタブ７７を含み、軸受部材５４と直交して延在し、正方形状に配置される。
ギア５６は図７および８において具体的に示され、図１０および１１に示すようにラチェット部材４が組立てられたときに軸受部材５４に解放可能にラッチする。複数の歯８０がギア５６の外側端縁部のまわりに延在する。ギア５６はさらに、ディスク形状のプレート８２と、プレート８２から垂直に延在する中央ハブ８４とを含む。４つの開口部８５が、図１２に示すようにケーブル５の各部の拡大された端部８８を受入れ保持するためにハブ８４に形成される。４つの不規則形状の孔９０がハブ８４の一部を通して形成され、孔９０と連通する４つの矩形状の孔９１がギア５６全体を通して形成される（図１２）。孔９１は軸受部材５４の突起部７６を受入れ、ラッチタブ７７が軸受部材５４をギア５６に固定してケーブル受入れリール１００を形成できるようにする。
ボア９４がギア５６の中央部を通して形成され、ボア９４はギア５６の中央部を通して形成され、ハブ８４に形成される７面の面９５を含み、小さな円形開口部９６が７面の面９５と同心でかつこれに隣接して環状のプレート９９に形成され（図７、８、９および１２）、大きな円形部９７は円形開口部９６および環状のプレート９９と同心でかつこれらに隣接してプレート８２に形成される。環状の節１０１がギア５６のプレート８２の上面に、ボア９４と同心で形成され、ラチェット部材４が図９および１０に示すように組立てられたときに底プレート５８に形成された軸受面７１によって受入れられる。
歯止め５２は、円筒形ベース１０５（図７）と、５面の中央開口部１０７を有するより小さな円筒部１０６と、円筒形部１０５の側壁から延在する弾性ばね１０８と、歯止めキャッチ１１０とを含む。歯止め５２はコンパートメント５３に設けられ、壁６２に形成された円形のボス１０３の上に置かれる（図１１）。円筒形部１０６は、ハウジング５０内で歯止め５２を固定する、底プレート５８に形成された相補形状の孔５９を通して延在する（図６および７）。弾性ばね１０８は側壁６５の内側に圧力を加え、キャッチ１１０が仕切り壁５５に形成された矩形状の開口部５７を通して延在するように強制し、キャッチ１１０がギア５６の歯８０に選択的に接触するようにさせる（図１３）。
ギア５６、軸受部材５４およびハブ８４は、スナップばめされたときにリール１００を形成し（図１０）、ラチェット部材４が以下のように動作を行なうときにケーブル５がリール１００のまわりに巻かれたりそこから解かれたりする。軸受部材５４は前壁６２上で円形のコンパートメント５１内にあり、環状の節７５は軸受面６４にある。２本のケーブル５がギア５６のハブ８４に挿入され、ケーブルの拡大された端部８８各々は対向する開口部８５で固定され、ケーブルの各端部は隣接する開口部に関し９０°の角度で配向された対向する開口部７０を通して延在する。ギア５６は上記のように軸受部材５４にラッチされ、ハブ８４の開放端部を囲みケーブルをその中でロックする。歯止め５２はコンパートメント５３に配置され、底プレート５８はリップ６６に載置されてハウジング５０に固定されコンパートメント５１および５３を閉じる。ギア５６の環状の節１０１は底プレート５８の軸受面７１にあり、環状の節７５および軸受面６４とともに、ギア５６および軸受部材５４が、ケーブル５がリール１００から解放されるまたは回収されたときに回転できるようにする。
動作の際、ラチェット部材４はボア９４が露出してラチェット具１１５の７面の部分１１７を受入れるように（図１および１３）パッケージ２（図１）の側面に対して配置される。ファスナ７およびベース８はスナップばめされ（図４の矢印Ａ）、ロック部材３をロック位置で固定し、自在巻付け１をパッケージ２のまわりで固定する。ラチェット具１１５の面１１７は多面の面９５に挿入され、ラチェット具１１５を回転させてギア５６および軸受部材５４を矢印Ｂの方向（図１３）に回す。歯止め５２のキャッチ１１０はギア５６が回転する際にギア５６の歯８０に受止められ、リール１００が矢印Ｂと反対方向に回転しないようにする。
ケーブル５はパッケージ２のまわりで締められ、ラチェット具１１５が矢印Ｂの方向に回転させられる際にリール１００に回収される。ラチェット具１１５は、ケーブル５、ロック部材３およびラチェット部材４がパッケージ２のまわりで強固に固定されるまで回転させられ、パッケージから安全装置１が外されないようにし、パッケージが許可なくして開放されないようにする。
自在巻付け１は、図１５の破線で示されるように、キーまたはロック解除具１２０をロック部材３に近接して配置することによって除去される。ロック解除具１２０は、１対の角度を付けられた磁石サポートアーム１２１を備えるベース１２２を含み、サポートアーム１２１の上には永久磁石１２３が配置される。サポートリブ１２４が、ロック部材３を磁石１２３間の位置に適切に位置決めし案内するためにベース１２２に形成され、ベース１２２から上向きに延在し、アーム１２１間に延在する。磁石１２３の磁界により、金属歯３５は端部１７および特にファスナ７のロックタブ１９がその間を通過するのに十分な距離だけ外向きに移動し、ファスナ７をベース８とのラッチ状態から手動で移動させるようにする。一旦ロック部材３がロックを解除され、分離されると、ケーブル５は装置１をパッケージ２から取外せるぐらい十分に緩む。
ラチェット具１１５の５面の部分１１８（図１４）は、パッケージから取外された後の歯止め５２の５面の開口部１０７に挿入されることができ、矢印Ｃの方向（図１２）に回転させられ、ばね１０８を側壁６５に対して押付けることによってキャッチ１１０を歯８０から解放し、リール１００が矢印Ｄで示すように自由に回転できるようにする。キャッチ１１０が歯８０から外れると、底プレート５８とは別個の部材としてまたは底プレート５８の一部として形成することができるロックアウトタブ６１が、ばね１０８の傾斜した端部１０９により外向きに押圧される。図１１および図１２に示すように、タブ６１は、ばね１０８の傾斜した端部１０９と係合した際にばね１０８の外側端縁部１０９ａと係合して図１０の点線で示すように側壁６５の周縁端部６７の上方に延在した位置へとタブ６１を動かす複数の傾斜を備える底部分を有するであろう。こうして、ケーブル５を他のパッケージのまわりに配置するために自由に解くことができ、その後ラチェット具１１５の多面部分１１７を用いてリール１００を回転させケーブル５を別のパッケージのまわりで締める。
部材３をパッケージに押し当てることによりタブ６１を内側に押してタブとばね１０８との係合を解除して、ロックアウトタブ６１をばね１０８の傾斜した端部１０９から自動的に解放することにより、ばね１０８が図１０、１１および１３の実線で示す作動位置へと戻ることができ、かつキャッチ１１０を歯８０と係合できるように動かすことができる。こうして自在巻付けを、上記のようにパッケージのまわりで固定することができる。
このように、安全装置１はパッケージ２のまわりに巻かれて固定されパッケージが開放されないようにする。ケーブル５はロック部材３のファスナ７とベースとを通して延在し、ファスナおよびベースはスナップばめされる。金属歯３５はロックタブ１９の下でロックしファスナ７をベース８に固定する。環状の節７５および１０１はそれぞれ軸受面６４および７１にあり、軸受リール１００がハウジング５０内で自由に回転できるようにする。歯止め５２のキャッチ１１０もギア５６の歯８０で受止められ、リールが１方向のみに回転できるようにする。さらに、ラチェット具１１５の７面のキー１１７によりリールを回転させてケーブル５を締めて固定し、自在巻付け１をパッケージ２のまわりで締めて固定する。さらに、ロック解除具１２０の磁石１２３により金属歯５は外向きに反らされ、ファスナ７をベース８から解放することができ、さらに安全装置１をパッケージ２から取除くことができる。ラチェット具１１５を用いて歯止め５２を歯８０から解放したり、ケーブル５を物体のまわりで締めたりする。ロックアウト装置６１によってもまた、ケーブル５を、安全装置を今後使用するために、リールに巻いて保存することができる。
ケーブル５をプラスチック、鎖、繊維および類似の材料から形成し、上記説明で用いた“ケーブル”という用語がこれらを包含することは容易に理解される。さらに、ロック部材３は、金属歯３５を除き強度の高いプラスチック材料から形成され、水分、化学薬品および使用する際に置かれ得る他の厳しい環境の影響を受けないようにし、取付ける物体に損傷を与えないようにする。同様に、ラチェット部材４も同様の強度の高いプラスチック材料から構成され、ロック部材３について先に延べたのと同様の利点をもたらす。
電子品物監視タグ（ＥＡＳ）１１２を、図１に示すようにロック部材３の後面に、またはラチェット部材４の後面に、パッケージを許可なしで持ち去ることができないようにするために、出口でＥＡＳ安全システムを備える小売店で用いる際に設けることができる。このようにして、安全装置１を用いてパッケージまたは物体を閉位置で安全に保持し、このようなＥＡＳ安全システムを備える小売店から持ち去られないようにすることができる。
たとえ窃盗を働こうとする者がハブの開口部９４に物体を挿入したとしても、ロック歯止めを解放するのに使用されるロック部材３の開口部１０７はパッケージに押し当てられているために近づくことができないので、パッケージのケーブルを緩めるのではなくケーブルを締めるだけに終わってしまうであろう。
このようにして、改良された安全装置は、簡略化され、列挙したすべての目的を達成し、先行技術による装置の難点を取除き、当該技術における問題を解決し新しい結果を得る効果的、安全、低コストかつ効率的な装置を提供する。
上記の説明では、いくつかの用語は、簡潔、明確かつ理解を容易にするために用いているが、こうした用語は説明を目的として用いられており大きな範囲で解釈されることが意図されているため、先行技術の要求を超えた不必要な制限が含意されているものではない。
さらに、この発明の説明および図示は例として挙げたものであり、本発明の範囲は示されたまたは説明された詳細な点に限定されるものではない。
本発明の特徴、発見、および原理について述べてきたが、改良された安全装置が構成され使用される態様、構成の特徴、得られる有利、新規かつ有用な結果、新規かつ有用な構造、装置、構成要素、配置、部分、ならびに組合せについては添付の請求の範囲において述べられている。
【図１】
0003953516.tif 000002
【図１４】
0003953516.tif 000003
【図１５】
0003953516.tif 000004
【図２】
0003953516.tif 000005
【図３】
0003953516.tif 000006
【図４】
0003953516.tif 000007
【図５】
0003953516.tif 000008
【図６】
0003953516.tif 000009
【図７】
0003953516.tif 000010
【図８】
0003953516.tif 000011
【図９】
0003953516.tif 000012
【図１０】
0003953516.tif 000013
【図１１】
0003953516.tif 000014
【図１２】
0003953516.tif 000015
【図１３】
0003953516.tif 000016